(57)【要約】      （修正有）【課題】粘性土が充填された状態の袋体の高さを確保でき、多段に積み重ねられた複数の袋体の積み重ね状態を従来技術に比してより維持することができ、かつ施工性に優れた脱水袋体用の連結ベルトを提供する。【解決手段】直列に配置され袋体の長手方向に直交する方向の当該袋体の周囲に巻かれる複数のベルト１１と、隣り合うベルト１１同士を接合する２つの接合部１２とを備える連結ベルト１である。この２つの接合部１２は、袋体に粘性土が充填された状態において、隣り合う当該袋体の間に上下方向に所定の間隔Ａを開けて配設されるように設けられる。【選択図】図２
2010121307.tif 000002
【特許請求の範囲】
【請求項１】
高含水比の粘性土が充填されかつ多段に積み重ねられる透水性を有する複数の袋体を連結する連結ベルトであって、
直列に配置され、前記袋体の長手方向に直交する方向の当該袋体の周囲に巻かれる複数のベルトと、
隣り合う前記ベルト同士を接合する２つの接合部と、を備え、
前記２つの接合部は、前記袋体に前記粘性土が充填された状態において、隣り合う当該袋体の間に、上下方向に所定の間隔を開けて配設されるように設けられることを特徴とする、連結ベルト。
【請求項２】
前記ベルトの端部同士を連結して輪状にしたときの当該ベルトの周長は、前記袋体の前記周囲の長さと同じ又は当該長さよりも若干短いことを特徴とする、請求項１に記載の連結ベルト。
【請求項３】
前記２つの接合部の前記間隔は、前記袋体の直径の３０％〜５０％であることを特徴とする、請求項１または２に記載の連結ベルト。
【請求項４】
前記２つの接合部は縫製部であり、前記ベルト同士の縫製の向きは、当該ベルトの幅方向と同じであることを特徴とする、請求項１〜３のいずれかに記載の連結ベルト。
【請求項５】
前記ベルトの端部同士は、当該端部に接合された面ファスナーにより連結され、
前記ベルトが前記袋体の前記周囲に巻かれた状態において、前記面ファスナーは、オス側を外向きに、メス側を内向きに配置されることを特徴とする、請求項１〜４のいずれかに記載の連結ベルト。
【請求項６】
前記ベルトと前記面ファスナーとは縫製により接合され、当該縫製の向きは当該ベルトの長さ方向と同じであることを特徴とする、請求項５に記載の連結ベルト。
【請求項７】
前記ベルトの伸度は、前記袋体の基布の伸度よりも小さいことを特徴とする、請求項１〜６のいずれかに記載の連結ベルト。
【請求項８】
請求項１〜６のいずれかに記載の複数の連結ベルトを所定間隔で設置するベルト設置工程と、
設置された前記連結ベルトの上に複数の袋体を配置し、当該連結ベルトで当該袋体を連結する袋体連結工程と、
連結された前記袋体の中に粘性土を充填する粘性土充填工程と、
を備えることを特徴とする、袋詰脱水処理工法。
【請求項９】
前記粘性土充填工程において、連結された複数の前記袋体の中に一つ飛ばしで粘性土を充填することを特徴とする、請求項８に記載の袋詰脱水処理工法。
【発明の詳細な説明】
【技術分野】
【０００１】
本発明は、袋詰脱水処理工法で用いられ、多段に積み重ねられる透水性を有する複数の袋体を連結する連結ベルトに関する。
【背景技術】
【０００２】
袋詰脱水処理工法とは、浚渫土などの高含水比の粘性土を、透水性を有する袋体に充填して圧密により脱水し、盛土として利用する工法のことをいう。そしてこの袋詰脱水処理工法において大型の袋体が用いられる場合、粘性土充填後に袋体を移動させることが困難なため、盛土形成場所にあらかじめ空の袋体を並べておいて、その袋体に高含水比の粘性土を充填し、所定の盛土高さになるように積み上げる方法がある。
【０００３】
この種の技術としては、例えば特許文献１に記載されたような技術がある。特許文献１に記載された袋詰脱水処理工法では、例えば袋体につけたマジックテープ（登録商標）により下方や側方の袋体と相互に接合された複数の袋体に、高含水比の粘性土を充填して、多段に積み重ねられた状態の袋体を形成する。また、袋体同士を接合する接続手段としては、マジックテープ（登録商標）の他に、隣り合う袋体の外周面にベルトの両端を縫い付けたり、袋体の周囲を紐、ロープ、またはワイヤで巻いたりする手段が挙げられている。そして特許文献１において、これら接続手段を用いることにより、袋体を容易に接続一本化することができ、また粘性土が充填された上段の袋体がその重量によって下段の袋体の間に落ち込んだりすることは防止される、と称されている。
【０００４】
【特許文献１】特許第３１４８８１５号公報
【発明の開示】
【発明が解決しようとする課題】
【０００５】
一方、このような袋詰脱水処理工法においては、袋体内に充填された粘性土の脱水処理効率向上、および袋体の盛土としての利用性向上の観点から、粘性土が充填された状態の袋体の高さを高く確保することが望ましい。しかしながら、特許文献１に記載された袋詰脱水処理工法において用いられるマジックテープ（登録商標）などの接続手段には、袋体の高さを確保するという観点からの工夫はなされていない。また、圧密が不十分な袋体内部の粘性土は流動性が高いため、上段の袋体に粘性土を充填していくと、その上段の袋体の重量によって袋体内の高含水比の粘性土が流動しようとし、上段の袋体は下段の袋体の間に落ち込もうとうする。
【０００６】
また、通常の１本のベルトで複数の袋体をまとめて一巻きしたり八の字に巻いたりすると、以下のような不具合が生じる。まず、上段の袋体に粘性土を充填していくと、その下段の袋体が回転して当該下段の袋体の間に上段の袋体が落ち込む。また、袋体同士を互いに隣接させて配置する必要があるので、障害物（木や溝）が存在する場合には１本のベルトで連結することができず、障害物（木や溝）の前後で分けて連結しなければならない。さらに、通常の１本のベルトの場合、施工時に空の袋体を正確な位置で互いに重ね合わせなければならず、施工に手間がかかる（粘性土の充填により袋体が膨らむと、その横幅が縮むため、あらかじめ重ね合わせ量を正確に調整しておく必要がある）。なお、袋体同士を八の字に巻いたとしても、少しずつベルトを内側に寄せて袋体同士が重ね合わさるように設置しなければならない。
【０００７】
本発明は、上記実情に鑑みてなされたものであって、その目的は、粘性土が充填された状態の袋体の高さを確保でき、多段に積み重ねられた複数の袋体の積み重ね状態を従来技術に比してより維持することができ、かつ施工性に優れた脱水袋体用の連結ベルトを提供することである。
【課題を解決するための手段及び効果】
【０００８】
本発明者らは、前記課題を解決すべく鋭意検討した結果、直列に接合した複数のベルトでそれぞれ袋体を巻き、かつ、このベルト同士を接合する２つの接合部を、粘性土が充填された袋体の間に上下方向に所定の間隔を開けて配設することにより、前記課題を解決できることを見出し、この知見に基づき本発明が完成するに至ったのである。
【０００９】
すなわち、上記課題を解決するために本発明は、高含水比の粘性土が充填されかつ多段に積み重ねられる透水性を有する複数の袋体を連結する連結ベルトであって、直列に配置され、前記袋体の長手方向に直交する方向の当該袋体の周囲に巻かれる複数のベルトと、隣り合う前記ベルト同士を接合する２つの接合部と、を備え、前記２つの接合部は、前記袋体に前記粘性土が充填された状態において、隣り合う当該袋体の間に、上下方向に所定の間隔を開けて配設されるように設けられる連結ベルトを提供する。
【００１０】
この構成によると、複数のベルトからなる当該連結ベルトにより連結された袋体に粘性土を充填すると、袋体の間に上下方向に所定の間隔を開けて配設される連結ベルトの上記２つの接合部により、袋体はその断面形状が長方形状に拘束される。すなわち、連結ベルトの２つの接合部の間隔を適宜調整することで袋体の高さを確保することができる。また、この２つの接合部により、袋体同士はその高さ方向に面接触するので袋体は回転せず、上段の袋体が下段の袋体の間に落ち込もうとする動きを従来よりも抑制することができる。すなわち、多段に積み重ねられた複数の袋体の積み重ね状態を従来技術に比してより維持することができる。さらに、施工場所に木や溝などの障害物があったとしても、これら障害物を飛ばして袋体を連結することができる。また、隣り合う空の袋体同士の重ね合わせ量の調整は特に不要である。すなわち、施工性に優れる。
【００１１】
また本発明において、前記ベルトの端部同士を連結して輪状にしたときの当該ベルトの周長は、前記袋体の前記周囲の長さと同じ又は当該長さよりも若干短いことが好ましい。
【００１２】
この構成によると、連結ベルトによる袋体の拘束効果を高めることができ、袋体の転がりをより防止できる。
【００１３】
さらに本発明において、前記２つの接合部の前記間隔は、前記袋体の直径の３０％〜５０％であることが好ましい。
【００１４】
この構成によると、連結ベルトの２つの接合部の間隔を袋体の直径の３０％以上とすることで、上段の袋体が下段の袋体の間に落ち込もうとする動きをより防止できる。また、当該間隔を袋体の直径の５０％以下とすることで、袋体を巻くベルトの破損を防止できる。
【００１５】
さらに本発明において、前記２つの接合部は縫製部であり、前記ベルト同士の縫製の向きは、当該ベルトの幅方向と同じであることが好ましい。
【００１６】
ベルト同士の接合部には、はく離方向（ベルト面に垂直な方向）に力が作用する。この構成によると、ベルト同士をその幅方向に縫製することによって、２つの接合部の強度を高めることができる。
【００１７】
さらに本発明において、前記ベルトの端部同士は、当該端部に接合された面ファスナーにより連結され、前記ベルトが前記袋体の前記周囲に巻かれた状態において、前記面ファスナーは、オス側を外向きに、メス側を内向きに配置されることが好ましい。
【００１８】
この構成によると、ベルトの端部同士の連結に面ファスナーを用いることで施工性が向上する。また、面ファスナーのオス側を外向きに配置し、そのオス側に対してメス側を貼り合わせることで、面ファスナーが袋体にひっつくことを防止できる。
【００１９】
さらに本発明において、前記ベルトと前記面ファスナーとは縫製により接合され、当該縫製の向きは当該ベルトの長さ方向と同じであることが好ましい。
【００２０】
ベルトと面ファスナーとの接合部には、せん断方向（ベルト面に平行な方向）に力が作用する。この構成によると、ベルトと面ファスナーとをベルトの長さ方向に縫製することによって、当該接合部の強度を高めることができる。
【００２１】
さらに本発明において、前記ベルトの伸度は、前記袋体の基布の伸度よりも小さいことが好ましい。
【００２２】
この構成によると、袋体への粘性土充填時には、袋体のベルトの位置する部分がくびれた状態で拘束されるので、袋体の拘束効果が向上する。また、ベルトの接合ミスで、ベルトの周長が袋体の周長よりも若干大きめ（長め）になったとしても、袋体を拘束できる。
【００２３】
また本発明は、その第２の態様によれば、前記した複数の連結ベルトを所定間隔で設置するベルト設置工程と、設置された前記連結ベルトの上に複数の袋体を配置し、当該連結ベルトで当該袋体を連結する袋体連結工程と、連結された前記袋体の中に粘性土を充填する粘性土充填工程と、を備える袋詰脱水処理工法である。
【００２４】
この構成によると、粘性土が充填された状態の袋体の高さを確保できるので袋体の脱水効率が飛躍的に向上する。また、従来よりも施工効率が大幅に向上する。
【００２５】
また本発明において、前記粘性土充填工程において、連結された複数の前記袋体の中に一つ飛ばしで粘性土を充填することが好ましい。
【００２６】
この構成によると、設置された複数の袋体に対して端から順に粘性土を充填する方法に比して、袋体の移動（転がり）をより抑えることができる。
【発明を実施するための最良の形態】
【００２７】
以下、本発明を実施するための形態について図面を参照しつつ説明する。
【００２８】
図１は、本発明の一実施形態に係る連結ベルト１により連結された袋体５０に粘性土が充填され、その袋体５０が積み上げられて盛土１００を形成した状態を示す概略の斜視図である。前記したように、袋詰脱水処理工法とは、浚渫土などの高含水比の粘性土を、透水性を有する袋体５０に充填して圧密により脱水し、盛土として利用する工法のことをいう。なお、盛土は、正確には粘性土が充填され袋体５０が積み重ねられて脱水処理された後に、土などがかぶせられしめ固められて形成される。ここでは便宜上、粘性土が充填されるとともに積み重ねられ脱水処理された状態の複数の袋体５０全体を盛土１００と呼ぶこととする。
【００２９】
図１に示すように、盛土１００は、高含水比の粘性土が充填されるとともに３段に積み重ねられた（積み上げられた）計９つの袋体５０で形成されている。盛土１００を形成するには、まず、４本（複数）の連結ベルト１を施工場所に所定間隔で並行に設置する（ベルト設置工程）。次に、設置された連結ベルト１に対して直交するように当該連結ベルト１の上に４つ（複数）の袋体５０を並行に配置し、連結ベルト１で空の状態の袋体５０を相互に連結する（袋体連結工程）。その後、連結された空の袋体５０の中に高含水比の粘性土を充填する（粘性土充填工程）。ここで、袋体５０の中への粘性土の充填は、例えば、バックホウなどの建設機械を利用する。なお、袋体５０の中への粘性土の充填はこの方法に限定されるものではない。１段目（最下段）の施工が終了すれば、粘性土が充填された４つの袋体５０の上に、４本（複数）の連結ベルト１を所定間隔で設置し、１段目の施工と同様に、連結ベルト１を用いて３つの袋体５０を連結し、その後、袋体５０の中に粘性土を充填する。このようにして、３段に積み上げられた計９つの袋体５０からなる盛土１００が形成される。３段に積み上げられた袋体５０は、その自重厚密などにより内部の粘性土が脱水処理される。
【００３０】
なお、上記粘性土充填工程において、連結された複数の袋体５０の中に一つ飛ばしで粘性土を充填することが好ましい（特に、１段目（最下段）の施工の際に好ましい）。ここで、例えば、並行に配置された複数の袋体のうち、端に位置する１つ目の袋体の中に粘性土を充填した後、その隣接する袋体に粘性土を充填すると（端から順に粘性土を充填すると）、袋体が膨らむ途中で、先に充填を終えた袋体を押してしまい、この充填を終えた袋体が移動してしまう場合がある。しかしながら、端に位置する１つ目の袋体の中に粘性土を充填した後、一つ飛ばしで離れた位置にある袋体５０に粘性土を充填し、その後これら２つの袋体５０の間に位置する袋体５０に粘性土を充填すれば、２つの袋体５０の間に位置する袋体５０が膨らむ途中で隣接する両側の袋体５０を押しても、その押す力が分散され、袋体が移動する（転がる）ことは抑えられる。
【００３１】
なお、並べて載置した５つ以上の多数の袋体に対して、一つ飛ばしで粘性土を充填する場合には、全て一つ飛ばしで粘性土を充填した後（例えば、端から数えて奇数番目の袋体に対してのみ順に粘性土を充填した後）、その間の袋体（例えば、端から数えて偶数番目の袋体）に粘性土を充填してもよいし、端から１、３番目の袋体に粘性土を充填した後その間の袋体（端から２番目）に粘性土を充填し、その後、５番目の袋体に粘性土を充填するなどの方法をとってもよい。
【００３２】
（袋体）
袋体５０は、透水性を有する筒状の布帛からなり、例えばポリエステル繊維で織成されたものである。この筒状の布帛（基布）は、経糸と、経糸に対してスパイラル状に連続して織り込まれた緯糸とからなる継ぎ目のない筒状の布帛であり高い破断応力を有し、ポンプなどの充填手段により内部に粘性土が加圧充填されても容易に破断しない。本実施形態では、厚さ０．３３ｍｍ、目付２２８ｇ／ｍ２、折り幅１．５ｍ（直径でいうと、約０．９６ｍ）、長さ１５ｍの筒状の袋体５０を用いた。袋体５０の引張強度は、縦方向（長手方向）５４２Ｎ／ｃｍ、横方向（幅方向）５５４Ｎ／ｃｍ、伸び（伸度）は、縦方向（長手方向）１２％、横方向（幅方向）１１％、引裂強度は、縦方向１１１０Ｎ、横方向１０２０Ｎである。なお、袋体５０の長さは、２ｍ〜１５ｍの範囲で適宜決定されることが多いが、１５ｍ以上の長さの袋体５０であってもよい。また袋体５０には、粘性土を充填するための充填口（不図示）が少なくとも１箇所設けられている。
【００３３】
（連結ベルト）
図２は、図１に示す連結ベルト１の構造説明図である。また図３は、図２に示す連結ベルト１の一部詳細図である。図３（ａ）は図２のＹ−Ｙ矢視図であり、図３（ｂ）は図２のＺ−Ｚ矢視図である。図２に示すように、連結ベルト１は、直列に配置され袋体５０の長手方向に直交する方向の当該袋体５０の周囲に巻かれる複数のベルト１１と、隣り合うベルト１１同士を接合する２つの接合部１２と、を備えている。本実施形態では、連結ベルト１は、４本のベルト１１と、この４本のベルト１１を直列に接合するための３組の２つの接合部１２とを備えている。また連結ベルト１は、図１に示したように、袋体５０の長手方向において所定の間隔（ピッチ）で袋体５０に取り付けられている。また、１段目の４つの袋体５０も、２段目の３つの袋体５０も、３段目の２つの袋体５０も、全ての袋体５０がベルト１１で巻かれて、それぞれ連結ベルト１で連結されている。
【００３４】
ベルト１１は、例えばポリエステル繊維で織成されたものである。またベルト１１は、厚さ１．７ｍｍ、幅４６．５ｍｍ、引張強度３００００Ｎ、伸び（伸度）１０％（１１．１ｋＮ作用時）の寸法・材料特性を有している。ここで、ベルト１１の伸度は、袋体５０の基布の横方向（幅方向）の伸度よりも小さくされている。これにより、袋体５０への粘性土充填時には、袋体５０のベルト１１の位置する部分がくびれた状態で拘束されるので、袋体５０の拘束効果が向上する。また、ベルト１１の接合ミスで、ベルト１１の周長Ｄが袋体５０の周長よりも若干大きめ（長め）になったとしても、袋体５０を十分に拘束することができる。なお、本実施形態のベルト１１はこのように帯状の形態であるが、本発明の連結ベルトを構成するベルトは必ずしも帯状の形態に限定されるものではない。例えば、ロープ、ひものような形態のものも本発明の連結ベルトを構成するベルトに含まれる。
【００３５】
ここに、ベルト１１の伸度を、袋体５０の基布の伸度よりも小さくする技術について記載する。ベルト１１の伸度を袋体５０の基布の伸度よりも小さくするためには、（１）袋体５０に使用している繊維よりも伸度が小さい繊維（例えばアラミド繊維）を使用する。（２）袋体５０に使用している繊維量よりもベルト１１の繊維量を全体的に多くして強度の高いベルト１１にする。（３）ベルト１１の長さ方向の繊維量よりもベルト１１の幅方向の糸量を減らすことで、長さ方向の繊維の屈曲を減らして初期伸びを小さくする。などの方法がある。本実施形態では、上記（２）・（３）の方法を採用している。具体的には、ベルト１１の経糸（長さ方向）として、ポリエステル繊維製の１６７０ｄｔｅｘ・本数３００本の糸を用い、緯糸（幅方向）として、ポリエステル繊維製の７００ｄｔｅｘ・密度１９本／２５ｍｍの糸を用いた。なお、袋体５０は、その経糸（長さ方向）として、ポリエステル繊維製の１１００ｄｔｅｘ・密度２６本／インチの糸を用い、緯糸（幅方向）として、ポリエステル繊維製の１１００ｄｔｅｘ・密度２４本／インチの糸を用いて平織りにより織製されたものである。
【００３６】
またベルト１１の両端部には、面ファスナー１３が縫製により取り付けられている。ベルト１１の一方の端部には面ファスナー１３のオス側１３ａが取り付けられ、他方の端部には面ファスナー１３のメス側１３ｂが取り付けられている。面ファスナー１３のオス側１３ａとは、貼り合わせられる一対の面ファスナー１３のうち鉤状の突起が一面についた側（またはフック状に起毛された側）の面ファスナーのことをいう。また面ファスナー１３のメス側１３ｂとは、貼り合わせられる一対の面ファスナー１３のうちパイル状の側（またはループ状に密集して起毛された側）の面ファスナーのことをいう。
【００３７】
そして図２に示したように、ベルト１１が袋体５０の周囲に巻かれた状態において、面ファスナー１３のオス側１３ａが外向きに、メス側１３ｂが内向きに配置されるように、ベルト１１の両端部に面ファスナー１３が取り付けられている。面ファスナー１３のオス側１３ａを外向きに配置し、そのオス側１３ａに対して面ファスナー１３のメス側１３ｂを貼り合わせることで、面ファスナー１３が袋体５０にひっつくことを防止できる。また、ベルト１１の端部同士の連結に面ファスナー１３を用いることで、袋体５０の固定（拘束）を迅速に行うことができる。なお、必ずしも面ファスナー１３を用いる必要はなく、例えばベルト１１の端部同士をたんに結び合わせることによって連結させてもよい（袋体５０を固定してもよい）。
【００３８】
また、本実施形態の面ファスナー１３は、ナイロン製、幅５０ｍｍ、せん断強度２７１Ｎ、はく離強度８Ｎのものを用いた。なおポリエステル製のものもある。また隣り合う面ファスナー１３は、色違いにされることが好ましい。貼り合わせる一対の面ファスナー１３同士を間違えないようにするためである。
【００３９】
また図３（ｂ）に示したように、ベルト１１と面ファスナー１３ａ（１３）とは縫製により接合され、当該縫製の向きはベルト１１の長さ方向Ｌと同じにされている。ここで、ベルト１１と面ファスナー１３との接合部には、せん断方向（ベルト面に平行な方向）に力が作用する。本実施形態のようにベルト１１と面ファスナー１３ａ（１３）との接合縫製の向きをベルト１１の長さ方向Ｌに合わせることによって、当該接合部の強度を高めることができる。
【００４０】
また、ベルト１１の端部同士を面ファスナー１３にて連結して輪状にしたときのベルト１１の周長Ｄは、袋体５０の周長と同じ３ｍとされている。なお、ベルト１１の周長Ｄは袋体５０の周長よりも若干短くしてもよい。これによると、ベルト１１による袋体５０の拘束効果を高めることができ、袋体５０の転がりを防止できる。また、面ファスナー１３のはずれを防止することもできる。具体的には、ベルト１１の周長Ｄは、袋体５０の周長の９５％〜１００％の長さであることが好ましい。周長Ｄを袋体５０の周長の９５％以下にすると、ベルト１１やその接合部１２に作用する荷重が大きくなり、１００％より大きくすると袋体５０の拘束効果が低減する。
【００４１】
次に、図２に示したように、隣り合うベルト１１同士を接合する２つの接合部１２は、袋体５０に粘性土が充填された状態において、隣り合う当該袋体５０の間に上下方向に所定の間隔Ａを開けて配設されるように設けられる。本実施形態では、ベルト１１のＢ部の長さが約１ｍとされ、間隔Ａが０．４ｍとされている。そして、連結ベルト１を複数の袋体５０に取り付ける（セットする）際に、ベルト１１のＢ部が下側に位置するように、かつ２つの接合部１２が隣接する袋体５０の間に位置するように調整される。
【００４２】
ここで、２つの接合部１２の間隔Ａは、袋体５０の直径の３０％〜５０％であることが好ましい。本実施形態では、間隔Ａを袋体５０の直径の４２％としている。２つの接合部１２の間隔Ａを袋体５０の直径の３０％以上とすることで、積み上げられた上段の袋体５０が下段の袋体５０の間に落ち込もうとする動きをより防止できる。また、間隔Ａを袋体５０の直径の５０％以下とすることで、袋体５０を巻くベルト１１の破損を防止できる（面ファスナー１３がはずれることを防止できる）。
【００４３】
また図３（ａ）に示したように、２つの接合部１２は縫製により接合されており、当該縫製の向きは、ベルト１１の幅方向Ｗと同じにされている。ここで、ベルト１１同士の接合部１２には、はく離方向（ベルト面に垂直な方向）に力が作用する。本実施形態のようにベルト１１同士をその幅方向Ｗに縫製することによって、２つの接合部１２の強度を高めることができる。なおこの縫製には、ポリエステル製、３０００ｄｔｅｘ、強力２３１Ｎ、伸び２６．９％の縫製糸を用い、ピッチ６ｍｍで縫製されている。
【００４４】
次に、本実施形態の連結ベルト１がセットされた（取り付けられた）袋体５０に、粘性土が充填された状態について説明する。図４は、図１に示す最下段の袋体のＸ−Ｘ断面図である。図４に示したように、４本のベルト１１からなる連結ベルト１により連結された袋体５０に粘性土を充填すると、袋体５０の間に上下方向に所定の間隔を開けて配設される連結ベルト１の上記２つの接合部１２により、袋体５０はその断面形状が長方形状に拘束される。そのため、この２つの接合部１２により袋体５０の高さが確保される。また、この２つの接合部１２により、袋体５０同士は、その長さ方向だけでなく、高さ方向（上下方向）にも面で接触する。これにより、ベルト１１に滑り止めなどの細工をしなくても、ベルト１１と袋体５０とが滑って袋体５０が回転せず、上段の袋体５０が下段の袋体の間に落ち込まない。したがって、例えば２段目の袋体５０が最下段の袋体５０の間に落ち込もうとする動きを従来よりも抑制することができる（図１参照）。すなわち、多段に積み重ねられた複数の袋体５０の積み重ね状態を従来技術に比してより維持することができる。
【００４５】
また、連結ベルト１によると、施工場所に木や溝などの障害物があったとしても、これら障害物を飛ばして袋体を連結することができる。また、離れた位置の袋体同士を当該連結ベルト１で連結することもできる。さらに、袋体５０に粘性土が充填されると、袋体５０は、２つの接合部１２で接合されたベルト１１で拘束されて、隣の袋体５０とその高さ方向に面接触するので、従来必要であった、隣り合う空の袋体同士の重ね合わせ量の調整も不要となり、施工性に優れる。また、連結ベルト１同士をタテヨコ自由に連結することもできる。
【００４６】
以上、本発明の実施形態について説明したが、本発明は上述の実施の形態に限られるものではなく、特許請求の範囲に記載した限りにおいて様々に変更して実施することが可能なものである。
【００４７】
例えば、上記実施形態では、隣り合うベルト１１同士を２箇所のみで接合している例を示したが、隣り合うベルト１１同士を３箇所以上で接合してもよい。
【図面の簡単な説明】
【００４８】
【図１】本発明の一実施形態に係る連結ベルトにより連結された袋体に粘性土が充填され、その袋体が積み上げられて盛土を形成した状態を示す概略の斜視図である。
【図２】図１に示す連結ベルトの構造説明図である。
【図３】図２に示す連結ベルトの一部詳細図である。
【図４】図１に示す最下段の袋体のＸ−Ｘ断面図である。
【符号の説明】
【００４９】
１：連結ベルト
１１：ベルト
１２：接合部
１３：面ファスナー
５０：袋体
【図１】
2010121307.tif 000003
【図２】
2010121307.tif 000004
【図３】
2010121307.tif 000005
【図４】
2010121307.tif 000006